(57)【特許請求の範囲】
【請求項１】
十字に組んだ部材の先端部に定盤となる鋼材を固着した定盤部材を鋼管杭頭部に装着した固定金具により鋼管杭内に棒材を介して吊り下げ、固定金具に設けた棒材の上下動調整治具によって棒材を上下動させて定盤部材の天盤位置のレベル調整を行い、次いで、鋼管杭内にコンクリートを打設し、定盤部材を鋼管杭内に固定することによって定盤を形成することを特徴とする、鋼管杭内に鋼管柱や鉄骨柱等の柱を建て込むための定盤の施工方法。
【請求項２】
鋼管杭内にコンクリートを打設して定盤部材を鋼管杭内に固定する際に、打設後のコンクリートが軟かい状態の時に定盤の天盤位置の再度のレベル調整を行うことを特徴とする、請求項１記載の鋼管杭内に鋼管柱や鉄骨柱等の柱を建て込むための定盤の施工方法。
【請求項３】
鋼管杭頭部の上端部に嵌合可能な断面コ字状の係合部材と、該係合部材の一つの足部に螺合されているボルトと、該係合部材の他の足部から略直角に延出している支持部材と、該支持部材の中央に回転自在に配設されているレベル調整ナットとからなる固定金具と、十字に組んだ部材の先端部に天盤面を形成する鋼材を固着した定盤部材と、そして、該定盤部材を前記固定金具のレベル調整ナットと螺合して吊り下げるための棒材とを備えていることを特徴とする、鋼管杭内に鋼管柱や鉄骨柱等の柱を建て込むための定盤の施工装置。
【請求項４】
定盤部材を吊り下げるための棒材を、固定金具のレベル調整ナットと螺合するネジが切ってある棒材部分と、定盤部材と結合する棒材部分とをセパジョイントにより連結した棒材としたことを特徴とする、請求項３記載の鋼管杭内に鋼管柱や鉄骨柱等の柱を建て込むための定盤の施工装置。
【発明の詳細な説明】
【０００１】
【発明の属する技術分野】
本発明は、鋼管柱や鉄骨柱等の柱を鋼管杭内に差し込み、コンクリートを打設し、鋼管杭と鋼管柱とを接合し一体化してなる土木建築構造物、例えば高架橋、高架鉄道、ビル等の基礎杭としての柱を建て込む時の定盤の施工方法および装置に関するものである。
【０００２】
【従来の技術】
土木建築構造物の鋼管基礎杭と柱との接合方法としては、鋼管基礎杭の上に鉄筋コンクリートの基礎を設け、この基礎の上に鋼管柱の柱脚をアンカーボルトで固定し、必要に応じて、鋼管柱にコンクリートを充填するのが一般的な施工方法である。ところが最近、鋼管基礎杭と柱の接合方法として、鋼管基礎杭上に設けた鉄筋コンクリート基礎を省略し、鋼管杭に鋼管柱を差し込んでコンクリートを充填して鋼管杭と鋼管柱とを接合一体化し、鋼管基礎杭と柱とを接合する必要が生じている。
【０００３】
鋼管杭に鋼管柱を差し込んで接合する施工方法に関連する公知技術としては、例えば、特開平５−８６６３０号公報に、コンクリート充填鋼管杭とコンクリート充填鋼管柱の接合構造が提案されていて、コンクリートを充填した鋼管杭の頭部にアンカーボルトを埋め込み、鋼管柱の脚部を鋼管杭内に挿入して、アンカーボルトで固定した後にコンクリートを打設して接合し一体化することが開示されている。
【０００４】
しかし、鋼管杭内のコンクリートに埋め込まれたアンカーボルトでは、水平方向の位置調整はできても、上下方向のレベル調整はできないため、別途モルタル・厚板等を用いて据付の基準面となる定盤を形成する必要があるが、▲１▼鋼管杭内の作業空間がせまいため、定盤の施工に難渋する、▲２▼作業空間を確保しようとすると、設計上大径の鋼管杭とする必要がないにもかかわらず鋼管杭の径を大きくせざるを得ず、経済性が悪いという問題が生じる。
【０００５】
また、特開平３−６４００８号公報には、建築構造物の柱と杭の接合構造として、柱の鋼管下部を杭の鋼管上部に挿嵌し、コンクリートを介して両者を接合することが記載されているが、柱となる鋼管柱を据え付ける時の定盤のレベル調整の施工方法や施工装置については何らの開示もない。
【０００６】
即ち、鋼管柱や鉄骨柱等の柱を鋼管杭内に差し込み柱を建て込む際に、所定のレベルに柱を据え付けるための基準面となる定盤を形成する施工方法および施工装置についての具体的な技術は、これまで流布されていないのが実状である。
【０００７】
【発明が解決しようとする課題】
そこで、本発明は、鋼管柱や鉄骨柱等の柱を鋼管杭内に差し込み、コンクリートで固着して鋼管杭と柱とを接合し一体化する柱の建て込み施工を行う際に、柱を据え付ける定盤の基準面のレベル調整を鋼管杭内に作業者が入らなくて行うことができる定盤の施工方法および装置を提供することを解決課題とするものである。
【０００８】
【課題を解決するための手段】
本発明は、鋼管杭頭部に固定金具を装着し、固定金具により棒材を介して定盤部材を吊り下げ、そして、鋼管杭頭部に装着した固定金具のレベル調整具により棒材を上下動して定盤部材の天盤位置をレベル調整すれば、鋼管杭内に作業者が入ることなく柱を建て込むための定盤を鋼管杭内に形成できることを知見して本発明を完成した。
【０００９】
本発明の要旨は、以下の通りである。
【００１０】
（１）  十字に組んだ山形鋼等の部材の先端部に定盤となる溝形鋼等の鋼材を固着した定盤部材を鋼管杭頭部に装着した固定金具により鋼管杭内に棒材を介して吊り下げ、固定金具に設けた棒材の上下動治具によって棒材を上下動させて定盤部材の天盤位置のレベル調整を行い、次いで、鋼管杭内にコンクリートを打設し、定盤部材を鋼管杭内に固定することによって定盤を形成することを特徴とする、鋼管杭内に鋼管柱や鉄骨柱等の柱を建て込むための定盤の施工方法。
【００１１】
（２）  鋼管杭内にコンクリートを打設して定盤部材を鋼管杭内に固定する際に、打設後のコンクリートが軟かい状態の時に定盤の天盤位置の再度のレベル調整を行うことを特徴とする、上記（１）記載の鋼管杭内に鋼管柱や鉄骨柱等の柱を建て込むための定盤の施工方法。
【００１２】
（３）  鋼管杭頭部の上端に嵌合可能な断面コ字状の係合部材と、該係合部材の一つの足部に螺合されているボルトと、該係合部材の他の足部から略直角に延出している支持部材と、該支持部材の中央に回転自在に配設されているレベル調整ナットとからなる固定金具と、十字に組んだ部材の先端部に天盤面を形成する鋼材を固着した定盤部材と、そして、該定盤部材を前記固定金具のレベル調整ナットと螺合して吊り下げるための棒材とを備えていることを特徴とする、鋼管杭内に鋼管柱や鉄骨柱等の柱を建て込むための定盤の施工装置。
【００１３】
（４）定盤部材を吊り下げるための棒材を、固定金具のレベル調整ナットと螺合するネジが切ってある棒材部分と、定盤部材と結合する棒材部分とをセパジョイントにより連結した棒材としたことを特徴とする、上記（３）記載の鋼管杭内に鋼管柱や鉄骨柱等の柱を建て込むための定盤の施工装置。
【００１４】
【発明の実施の形態】
以下本発明の実施の形態を図に基づいて詳細に説明する。
【００１５】
図１は、十字に組んだ山形鋼の先端部に溝形鋼を固着した定盤部材の平面図を示す図である。
【００１６】
図２は、定盤部材を鋼管杭内に設置した状態を示す図である。
【００１７】
図１に示すように、柱の定盤面を形成する定盤部材１は、十字に組んだ断面Ｌ字状の山形鋼部材２のそれぞれのの先端部に定盤のレベル出しをするための４つの溝形鋼３が溶接により固着されている。この４つの溝形鋼の上面となる天盤が、柱を据え付ける際の基準面となる。そして、溝形鋼の上面には、定盤部材を棒材で吊り下げるための矢板キャツチャー４或いはナット部が設けられている。なお、定盤部材として山形鋼、溝形鋼を用いているが、角形鋼や中空鋼等の任意の形状の鋼材を選択して使用することができる。
【００１８】
定盤を形成するに当たっては、図２に示すように、基準面を形成するための定盤部材を鋼管杭５内に挿入する。定盤部材を鋼管杭内に設置するには、定盤部材の矢板キャツチャー４に棒材６を取り付けて鋼管杭内に吊り下げて挿入した後、鋼管杭頭部に装着されている固定金具７に定盤部材１を吊り下げている棒材６を取り付ける。そして、棒材の上部表面にはネジが切ってあって、固定金具に設置されている回動自在のレベル調整ナット８と係合させて固定金具より吊り下げる。
【００１９】
固定金具７には、鋼管杭頭部の上縁部と嵌合できる断面がコ字状の係合部材９が設けられていて、コ字状係合部材の１つの足部には螺合した締め付けボルト１０が装着されていて、ボルトを締めるとボルト先端が鋼管杭頭部の外表面を締め付け、それによって鋼管杭頭部に固定金具を固定できるようになっている。
【００２０】
また、コ字状係合部材の鋼管杭頭部の内表面側に設置することとなる他の足部には、その足部から略直角（図２では水平方向となる）に延出する支持部材１１が設けられている。支持部材１１の上下には、二つのレベル調整ナット８が回動自在に配設されている。そして、レベル調整ナットの内表面のネジと棒材の外表面のネジとが螺合できるようになっている。したがって、支持部材１１の中心孔に棒材６を差し込み、かつ、棒材６と螺合している二つのレベル調節ナット８が支持部材１１の上下に配置した状態とする。次いで、レベル調整ナットを回転させると、レベル調整ナットの回転に応じて棒材は上下方向のレベル位置に調整可能となる。その結果、棒材に吊り下げられている定盤部材の上下方向の高さ位置を任意に制御することができる。また、レベル調整ナットは、支持部材中に回動自在に埋込まれていても良い。
【００２１】
つまり、固定金具のコ字状の係合部材１１を鋼管杭の上縁部に嵌合させて、締め付けボルト１０を締め付けることにより固定金具は鋼管杭に装着できる。そして、鋼管杭頭部には等間隔で固定金具が４箇所装着されていて、棒材６を介して定盤部材１の定盤面を形成する４つの部材をそれぞれ吊り下げている。この状態で、各固定金具に配設されているレベル調整ナットを回転さて、レベル調整ナットと螺合している棒材を上下動させることにより定盤の据え付け位置のレベル調整を行い、定盤部材を鋼管杭内に据え付ける。
【００２２】
なお、棒材６は、必要に応じて、セパジョイント１２により連結することができる。
【００２３】
つまり、作業性を考慮すれば、固定金具に螺合している棒材に定盤部材を吊り下げている棒材をセパジョイントにより連結させることが好ましい。
【００２４】
図３は、鋼管杭内にコンクリートを打設して定盤部材を固定した状態を示す図である。
【００２５】
定盤部材の天盤レベルが所定のレベルになるようにレベル調整して、鋼管杭内に定盤部材を据え付けた後、図３に示すように、鋼管杭内の所定の位置、例えば定盤部材を固定できる位置までコンクリート１３を打設する。コンクリートが固まった後、固定金具を取り除くと、柱を載置するための定盤となる。
【００２６】
なお、必要に応じて、コンクリートが軟らかいうちに、再度定盤部材の位置のレベル調整をレベル調整ナット８を回転させて行うことができる。このため、定盤部材のレベル位置が、コンクリートの打設によって狂ったとしても、再度のレベル調整によって精度の高い設置レベルの調整を行うことができる。
【００２７】
図４は、鋼管杭内に鋼管柱を差し込んだ状態を示す図である。
【００２８】
定盤部材の設置が完了した後、図４に示すように、鋼管杭５内に鋼管柱１４を差し込んで鋼管柱１４を定盤部材１上に載置し、コンクリートを鋼管杭及び鋼管柱内に打設し、両者をコンクリートにより接合し一体化することにより、鋼管柱の建て込みをすることができる。なお、棒材６は残したままでもよいが、必要に応じて、コンクリートの打設前に取り除いてもよい。また、柱としては、円形や角形等の鋼管柱、鉄骨柱等を使用することができ、そして、鋼管杭としては、円形や角形等の鋼管杭を使用することができる。
【００２９】
【発明の効果】
本発明では、鋼管杭頭部で定盤のレベル調整を行うものであるため、杭内に作業者が入る必要がなく施工性が良い。また、作業者が入らないため、定盤の施工空間確保の必要性がなく、鋼管杭の径を適切な設計値以上に不必要に大きくしなくてよい。更に、コンクリート打設後もコンクリートが軟らかい間に定盤のレベル調整をし直すことが可能なため、精度の高いレベル出しができるという効果を奏する。
【図面の簡単な説明】
【図１】十字に組んだ山形鋼の先端部に溝形鋼を固着した定盤部材を示す図である。
【図２】定盤部材を鋼管杭内に設置した状態を示す図である。
【図３】鋼管杭内にコンクリートを打設して定盤部材を固定した状態を示す図である。
【図４】鋼管杭内に鋼管柱を差し込んだ状態を示す図である。
【符号の説明】
１  定盤部材
２  山形鋼部材
３  溝形鋼
４  矢板キャッチャー
５  鋼管杭
６  棒材
７  固定金具
８  レベル調整ナット
９  係合部材
１０  ボルト
１１  支持部材
１２  セパジョイント
１３  コンクリート
１４  鋼管柱
【図１】
0003659766.tif 000002
【図２】
0003659766.tif 000003
【図３】
0003659766.tif 000004
【図４】
0003659766.tif 000005